(57)【要約】      （修正有）【課題】開傘形が逆風に崩されても、傘が壊されない、しかも修理せずに再び使える、又は、雨から閉傘した傘をそのまま室内に持ち入っても、室内の床が傘からの雨水に垂れ流されない、汚されない。【解決手段】傘１に水溜め機能を備える水溜め石突６０と、逆風にカバー外せ構造と、閉傘力を備えるバネ付き傘骨と、逆風に親骨１１と支骨とのジョイントが離せる離せるジョイントと、逆風でも親骨１１と支骨とのジョイントが親骨１１に沿って移動することができる移動ジョイントと、親骨と支骨とのジョイントが離せることも移動することもできる傘の混合ジョイントと、を備えることを、課題を解決するための手段とした。【選択図】図１
2017144196.tif 000002
【特許請求の範囲】
【請求項１】
取付部と水溜室とを備える水溜め石突であって、前記取付部を傘の中棒先端部にねじ込む或は差し込むなどことによって、傘に取り付く又は傘から取り外すことと、前記水溜室には水出入口があって、その水出入口が傘の手元と向き合って、雨に傘をさすとき、下に向いて雨水が入れない、傘を閉傘して雨から室内に持ち入るとき、上に向いて、傘水をカバーに沿って流られて水溜室に溜められることと、ができる水溜め石突。
【請求項２】
請求項１記載の水溜め石突を備える傘。
【請求項３】
外せるカバー留めを備えるカバー外せ構造であって、中心部が中棒に固定されるろくろの上に留められるカバーにおいて、露先などの部分が、弾性ボタン、弾性爪など前記外せるカバー留めによって、親骨に取り留める又は親骨から引き離せる、ことができるカバー外せ構造、を備える傘。
【請求項４】
離せジョイントであって、親骨と支骨との間が、ジョイントボタンとボタン留め、ジョイント軸とジョイント軸受などの離せ連結パーツを備えることによってジョイントされる、そのジョイントが親骨から引っ張られることによって分離されることができる離せジョイント、を備える傘。
【請求項５】
移動ジョイントであって、親骨と支骨との間が、レール、移動輪などパーツを備えることによってジョイントされる、そのジョイントが親骨から引っ張られることによって、レールに沿って移動することができる移動ジョイント、備える傘。
【請求項６】
混合ジョイントであって、親骨と支骨との間が、レールと移動輪と弾性フレームなどのパーツを備えることによってジョイントされる、そのジョイントが親骨から引っ張られることによって、レールに沿って移動することと分離することとができる移動ジョイント、備える傘。
【請求項７】
バネ付き傘骨であって、閉傘バネのひとつ足をろくろ或いは中棒に取り付けて固定する、もうひとつ足を親骨（或いは支骨）に閉傘できるように取り付けるバネ付き傘骨、を備える傘。
【発明の詳細な説明】
【技術分野】
【０００１】  本発明は、傘において、強い逆風に開傘の傘が壊されにくい、又は閉傘後の雨水が傘に溜められる傘に関する。
【背景技術】
【０００２】  従来の傘は逆風に壊されやすい、又は、閉傘後の雨水が傘から垂れ流されて傘に溜められない（室内が汚される）、何らかの措置が取らないと、室内に持ち入ることは難しい。【０００３】  従来の傘は、傘カバーが中央部にロクロの上に取り付けって固定され、露先などほかの部分が親骨に開傘時外れないように取り付けられている。そのため、傘が強い逆風に受けた破壊力が大きい。【０００４】  従来の傘は、親骨と受骨と中棒とがロクロとだぼを介して、離せないように丈夫に繋がっている、開傘して雨に向かうとき、親骨と受骨と中棒とが開傘三角形になってカバーを支えて雨を迎えて受け止めることになっているが。その開傘三角形は、強い逆風に簡単に形崩され、結果的に傘の骨か中棒かなどのパーツが壊され、修理せずに傘が再び使えることができない。
【発明の概要】
【発明が解決しようとする課題】
【０００５】  傘の軽量化が求められているこれからの時代では、強い逆風に傘の開傘形が崩されないことはとても難しいことだが、しかし、いままでのように逆風に開傘の形が崩される、形が崩されると傘が壊れ、修理せずに再び使えないことではなく、開傘の形が逆風に崩されても、傘が壊されない、しかも修理せずに再び使える、【０００６】  又は、雨から閉傘した傘をそのまま室内に持ち入っても、室内の床が傘からの雨水に垂れ流されない汚されない、
というようなことを本発明が解決しようとする課題とした。
【課題を解決するための手段】
【０００７】  本発明は、傘に水溜め機能を備える水溜め石突と、逆風にカバー外せ構造と、閉傘力を備えるバネ付き傘骨と、逆風に親骨と支骨とのジョイントが離せる離せるジョイントと、逆風でも親骨と支骨とのジョイントが親骨に沿って移動することができる移動ジョイントと、親骨と支骨とのジョイントが離せることも移動することもできる傘の混合ジョイントと、を備えることを、課題を解決するための手段とした。【０００８】  上記の水溜め石突は、水溜室と取付部とが設けられている。水溜室には水出入口があって、そこから水の進出することができる。取付部は、傘の中棒先端部にねじ込む或は差し込むことなどによって傘に取り付く、又は傘から取り外すことができる。上記の水溜め石突が水出入口を傘の手元と向き合うように傘に取り付けられているなので、雨に傘を使う場合、前記の水出入口が下の手元に向いてて雨水が入れない、反対に閉傘して雨から室内に入る場合、手元が上になることで、前記の水出入口が上に向いてて傘水が傘のカバーに沿って水溜室に流れ込んで溜められることになる。そして開傘して再び室内から雨に入る場合、前記の水出入口が下向きになるので、水溜室に溜まる水が外に流されることになる。上記の水溜め石突を備える傘は、雨から室内に持ち込まされでも、雨水が傘に留まり、床などの雨水汚れることが避けられる。【０００９】  上記のカバー外せ構造において、カバーと親骨と弾性ボタン、弾性爪など弾性カバー留めとがあって、弾性ボタン、弾性爪など弾性カバー留めが、カバーに取り繋ぐされる一方、親骨に取り留める又は親骨から引き離せることができる。カバーの中心部がろくろの上に固定されるが、露先などの取り付け部分が弾性カバー留めによって親骨に取り付けられるため、強い逆風にされた場合、カバーが弾性カバー留めを引っ張って親骨から引き離せることができる。カバー外せ構造を備える傘は、強い逆風にカバーが親骨から外されるなので、壊されにくいことになる。【００１０】  上記の離せるジョイントは、ジョイントボタンとボタン留めがあって、ジョイントボタンの足元を支骨のジョイント端に、ボタン留めを親骨のジョイント部に備えて、ジョイントボタンをボタン留めにボタン頭とボタン肩の間まで押し嵌めることによって、親骨と支骨との間がジョイントされることになる。又、ジョイントボタンの頭をボタン留めから引き抜くと、親骨と支骨とのジョイントが外されることになる。ジョイントボタンの頭がボタン留めの口より大きいだが、弾性があるため、ボタン留めの口に押し通す、或いはボタン留めの口から引き抜くことができる（ボタン留めの口に弾性を備えることであれば、ボタン頭に弾性がなくでも良い）。【００１１】  離せるジョイントのもう一つ異なる形として、ジョイント軸とジョイント軸受があって、ジョイント軸を親骨のジョイント部に、ジョイント軸受を支骨のジョイント端に備えて、ジョイント軸をジョイント軸受に嵌めることによって、親骨と支骨との間がジョイントされることになる、又、ジョイント軸をジョイント軸受から引き抜くと、ジョイント軸がジョイント軸受の口から外され、親骨と支骨とのジョイントが外されることになる。ジョイント軸がジョイント軸受の口から簡単に外れな��ように、ジョイント軸受の口先端に弾性離脱止めを設けられる。しかし弾性離脱止めには曲げ弾性が備えるため、強い逆風に引っ張られるジョイント軸が弾性離脱止めを曲げして抜き外せることができる。【００１２】  上記のような離せジョイントを備える傘において、強い逆風にされたとき、親骨と支骨とのジョイントが引き離せ、親骨が逆風に従うような形になされることによって、傘に受ける破壊力が大幅減らされ、傘が守れる、そしてジョイントを再び繋げれば傘は再び使える。【００１３】  上記移動ジョイントは、親骨と支骨との間がＣ形レールとジョイント移動輪によってジョイントされる。そのジョイントがＣ形レールに沿って移動することができる。上記のＣ形レールを親骨のジョイント部分に備え、上記ジョイント移動輪を支骨のジョイント端に備え、上記ジョイント移動輪を上記Ｃ形レールに乗せれことによって、親骨と支骨がジョイントされる。移動ジョイントを傘に備え、親骨が逆風に従って壊されないような形に変えられても、ジョイントがそのまま移動することができるため、親骨と支骨とのジョイントが切らなくでも傘は壊されない、傘は再び使える。【００１４】  混合ジョイントにおいて、Ｉ形鋼のような断面を有するＩ形レールと、Ｉ形レールに沿って移動するジョイント移動輪とがあって、Ｉ形レールを親骨に備え、ジョイント移動輪を弾性フレームによって支骨のジョイント端に備え、ジョイント移動輪をＩ形レールに乗せることによって、親骨と支骨との間がジョイントされることになる。そのジョイントがＩ形レールを沿って移動することができると同時に、引き外せることもできる。混合ジョイントを備える傘１において、親骨が逆風に従って壊されないような形に変えられても、移動ジョイントが連れられて移動することと、引き外せることとができるため、傘１は守れる。【００１５】  上記のバネ付き傘骨は、ろくろに結合される親骨に閉傘バネを備えることである。閉傘バネは二つ足を有し、ひとつ足をろくろ或いは中棒に取り付けて固定、もうひとつ足を親骨に連動できるように取り付ける。閉傘バネは予め閉傘状態のように取り付けられているため、親骨を上げると、閉傘バネがねじられて変形されて復位の弾力が生まれる。すると、親骨が押し下げられるようになる。閉傘バネは、支骨に取り付けることも可能である。ジョイントを通じて支骨が押し下げられると、親骨も押し下げられることになる。バネ付き傘骨に閉傘力が備えるため、バネ付き傘骨を備えることによって、支骨のない傘が作れる。又は、バネ付き傘骨と移動ジョイントなどとの組み合わせによって、更なる種類の逆風に壊されにくい傘が作れる。
【発明の効果】
【００１６】  本発明によれば、傘を濡れたまま室内に持ち込んでも床が雨水に汚されないから、床の後始末コストが下がる一方、室内の環境質量が守れる。使い捨て傘袋使用の減らす、ごみ減量、資源の節約などの効果に繋がる。【００１７】  本発明によれば、カバー外せ構造を備える傘は、カバーが親骨から外されて逆風に従うような形になれることによって、逆風の破壊力から避けることができる。バネ付き傘骨を備える傘は、親骨が逆風に従うように逆立ちにされても、バネの回復力によってカバー骨が元位置に戻せる、そのまま使える。又は支骨のない傘、支骨があってもジョイントの変化ができる傘が作れる。離せジョイントを備える傘は、親骨が支骨から引き離されて逆風に従うような形になれることによって、逆風の破壊力から避けることができる。移動ジョイントを備える傘は、親骨が逆風に従うような形になっても、ジョイントが親骨と連動されて移動できるから、カバー骨と支骨との連結が切らなくても、傘が守られる。混合ジョイントを備える傘は、ジョイントの移動も分離もできるから、親骨が逆風に従うような形になっても、壊されにくい、傘が守られる。【００１８】  本発明によれば、傘は逆風にされても壊されにくいことによって、傘が長持ちになる、傘の価値が上がる、多彩多様なオリジナル傘が増える、そしていまのように大量捨てる傘の量は大部減ることになる。環境の保護、資源の節約，ごみの減量などに繋がる効果になる
【図面の簡単な説明】
【００１９】
【図１】本発明の一実施形態にかかる傘の水溜め石突の構成例を示す図である。
【図２】本発明の一実施形態にかかるカバー外せの構成例を示す図である。
【図３】本発明の一実施形態にかかる離せるジョイントの構成例を示す図である。
【図４】本発明の一実施形態にかかる移動ジョイントの構成例を示す図である。
【図５】本発明の一実施形態にかかる混合ジョイントの構成例を示す図である。
【図６】本発明の一実施形態にかかるバネ付き傘骨の構成例を示す図である。
【図７】本発明の一実施形態にかかるバネ付き傘骨を備える傘例を示す図である。
【実施例】
【００２０】  図１に、本発明の一実施形態にかかる傘の水溜め石突の構成例を示す。水溜め石突６０は、部６３と水出入り口６２と水溜室６１と、を備えるものであって、取付部６３を中棒５の先端部にねじ込む（６０−１）か、押し挟む（６０−２）か、のようにして、傘１に取り付けて留めることができる、そして傘１からねじ外す、抜き外すこともできる。【００２１】  水溜め石突６０を備える傘１において、水出入り口６２が傘１の手元６と向き合うように取り付けられるため、雨に開傘時に、手元６の位置が下にあって、水出入り口６２が下向きになるため、雨水が水溜室６１に入れない。雨から閉傘して手元６を上にして傘を持つと、水出入り口６２が上向きになることで、雨水がカバー２を沿って水出入り口６２に流れ込んで、水溜室６１に溜められることになる。そして再び開傘して雨に入ると、水出入り口６２がまた下向きになるので、水溜室６１に溜まっている水が外に流されることになる。【００２２】  図２に、本発明の一実施形態にかかるカバー外せの構成例を示す。カバー外せ構造２０は、カバー２と親骨１１と弾性ボタン２２とボタン留め２３とがあって、カバー２において、中心部はろくろ４の上に取り付けって固定されるが、露先などの部分はボタン足元２４と繋いで弾性ボタン２２と一体になって、親骨１１に備えるボタン留め２３に押し込むことによって、親骨１１に取り付けることになる。また、弾性ボタン２２をボタン留め２３から引き外せることによって、カバー２が親骨１１から外されることになる。弾性ボタン２２の頭がボタン留め２３の留め口より大きいだが、弾力性があるため、ボタン留め２３に押し込めって留めることができる（図２のＡ−１）。【００２３】  カバー外せ構造２０のもう一例として、カバー２と親骨１１と弾性爪２５と爪留め２６とがあって、カバー２において、中心部はろくろ４の上に取り付けって固定され、露先などの部分は爪元２７と繋いで弾性爪２５と一体になって、親骨１１に備える爪留め２６に押し掴むことによって、カバー２が親骨１１に取り付けることになる。また、弾性爪２５を爪留め２６から引き外せることによって、カバー２が親骨１１から外されることになる。弾性爪２５の爪口が爪留め２６の断面直径より小さいだが、弾性があるため、爪留め２６に押し掴んで留めることができる（図２のＡ−２）。【００２４】  図３本発明の一実施形態にかかる離せるジョイントの構成例を示す。図３のＢ−１の示すように、離せるジョイント３０は、ジョイント軸３１とジョイント軸受３２があって、ジョイント軸３１を親骨１１に、ジョイント軸受３２を支骨１４に、備えることで、ジョイント軸３１とジョイント軸受３２とを合わせることによって、親骨１１と支骨１４との間にジョイントされることになる。【００２５】  ジョイント軸３１をジョイント軸受３２から離脱されないように、ジョイント軸受３２には弾性離脱止め３４が備える。弾性離脱止め３４は、弾性があって、横から力強く押すと曲げられる、そしてその力が外れると形が元に戻れる、というような特性がある。そのため、逆風にジョイント軸３１が強く引っ張られて、弾性離脱止め３４を押し曲げってジョイント軸受３２から引き外されることになる。【００２６】  図３のＢ−２の示すように、離せるジョイント３０のもう一つ異なる形として、ジョイントボタン３５とボタン留め３９があって、ボタン留め３９を親骨１１に、ジョイントボタン３５を支骨１４に備え、ジョイントボタン３５をボタン留め３９に、ボタン頭３７とボタン肩３８の間までに押し込みして留めることによって、親骨１１と支骨１４との間がジョイントされることになる。【００２７】  ボタン頭３７はボタン留め３９の口より直径が大きい、しかし、ボタン頭３７とボタン留め３９がどちか１つが弾性を備えることによって、ボタン頭３７をボタン留め３９に押し込みして留めることができる。そして、逆風にボタン留め３９が強く引っ張られて、ボタン頭３７から引き外されることになる。【００２８】  離せるジョイント３０を備える傘１において、傘１が逆風に壊される前に、親骨１１と親骨１４とのジョイントが引き離され、親骨１１が逆風に従うような形になされることで、傘１が守れる。そして引き離されたジョイントを再び合わせることによって傘１は再び使える。【００２９】  図４に、本発明の一実施形態にかかる移動ジョイントの構成例を示す。図４のＣ−１の示すように、移動ジョイント４０は、閉鎖レール４７と、閉鎖レール４７に移動する移動輪４５と、があって、閉鎖レール４７を親骨１１の一部として備え、移動輪４５を支骨のジョイント端１５に備え、移動輪４５を閉鎖レール４７に乗せることによって、親骨１１と支骨１４との間がジョイントされる。そしてそのジョイントが閉鎖レール４７を沿って移動することができる。【００３０】  図４のＣ−２の示すように、移動ジョイント４０は、Ｃ形鋼のような断面を有するＣ形レール４１と、Ｃ形レール４１に移動するジョイント移動輪４２と、があって、Ｃ形レール４１を親骨１１の一部として備え、ジョイント移動輪４２を輪軸４３によって支骨１４のジョイント端１５に備え、ジョイント移動輪４２をＣ形レール４１に乗せることによって、親骨１１と支骨１４との間がジョイントされる。そのジョイントがＣ形レール４１を沿って移動することができる。【００３１】  図４の示すように、移動ジョイント４０を備える傘１において、親骨１１が逆風に従って壊されないような形に変えられても、移動ジョイント４０が連れられて移動することができるため、親骨１１と支骨１４との連結が切らなくでも壊されない、親骨１１の形を戻せば傘１は再び使える。【００３２】  図５に、本発明の一実施形態にかかる混合ジョイントの構成例を示す。混合ジョイント５０は、Ｉ形鋼のような断面を有するＩ形レール５１とジョイント移動輪５２があって、Ｉ形レール５１が親骨１１の一部として備え、ジョイント移動輪５２を弾性フレーム５３によって支骨のジョイント端１５に備え、ジョイント移動輪５２をＩ形レール５１に乗せるのことによって、親骨１１と支骨１４との間がジョイントされ、そのジョイントがＩ形レール５１を沿って移動することができる。または、図５のＤの示すように、弾性フレーム５３は弾性を備えるため、Ｉ形レール５１を力強く引くと、弾性フレーム５３が変形されることになって、ジョイント移動輪５２をＩ形レール５１から引き外せることになる。【００３３】  図５の示すよ��に、混合ジョイント５０を備える傘１において、親骨１１が逆風に従って壊されないような形に変えられても、混合ジョイント５０が連れられて移動することと、引き外せることとができるため、傘１は守れる。【００３４】  図６に、本発明の一実施形態にかかるバネ付き傘骨の構成例を示す。バネ付き傘骨１０は、ろくろ４に結合される親骨１１に閉傘バネ１６を備えることである。閉傘バネ１６には二つの足があって、ひとつの足がろくろ８或いは中棒５に取り付けて固定される、もうひとつ足が親骨１１に取り付けて親骨１１と連動する。【００３５】  予め閉傘バネ１６を閉傘状態のように取り付けって、親骨１１を上に上げられると、閉傘バネ１６がねじられて下に復位の弾力が生まれるため、親骨１１が下に押し寄せられることになる。図６の示すように、閉傘バネ１６を親骨１１の一部として扱うことができる。傘骨継ぎ目１７を介して閉傘バネ１６と接続親骨１１、或は断面の直径が違う二つの接続傘骨１８、を接続することができる。【００３６】  バネ付き傘骨１０を備える傘１において、親骨１１が移動ライナー３によって上に上げられて開傘される、閉傘バネ１６によって下に下げって閉傘される、支骨がなくでも傘の開閉することができるから、強い逆風に親骨１１が上に逆立ちされでも壊されないことができる。【００３７】  図７に、本発明の一実施形態にかかるバネ付き傘骨を備える傘例を示す。開放レール４４をバネ付き傘骨１０の一部として備え、ジョイント移動輪４２を輪軸４３によってジョイント端１５に備え、ジョイント移動輪４２を開放レール４４に乗せることによって、親骨１１と支骨１４との間がジョイントされる。そのジョイントが開放レール４４を沿って移動することができる。強い逆風に親骨１１がジョイント移動輪４２から押し上げられて逆立ちされることができる。
【産業上の利用可能性】
【００３８】  本発明の傘において、傘を濡れたまま室内に持ち込んでも床が雨水に汚されない、強い逆風に壊されにくい、構造上簡単で生産しやすい、ことであるから、社会的な需要性と産業上の利用可能性が高い。
【符号の説明】
【００３９】  １．傘                  ２．カバー              ３．移動ライナー
４．ろくろ              ５．中棒                ６．手元
７．ハジキ              ８．押しボタン          １０．バネ付き傘骨
１１．親骨              １２．ろくろ端          １３．露先端
１４．支骨              １５．ジョイント端      １６．閉傘バネ
１７．傘骨継ぎ目        １８．接続傘骨          ２０．カバー外せ構造
２１．弾性カバー留め    ２２．弾性ボタン        ２３．ボタン留め
２４．ボタン元          ２５．弾性爪            ２６．爪留め
２７．爪元              ３０．離せるジョイント  ３１．ジョイント軸
３２．ジョイント軸受    ３３．軸受口            ３４．弾性離脱止め
３５．ジョイントボタン  ３６．ボタン元          ３７．ボタン頭
３８．ボタン肩          ３９．ボタン留め        ４０．移動ジョイント
４１．Ｃ形レール        ４２．ジョイント移動輪  ４３．輪軸
４４．開放レール        ４５．移動輪            ４６．閉めねじ
４７．閉鎖レール        ５０．混合ジョイント    ５１．Ｉ形レール
５２．ジョイント移動輪  ５３．弾性フレーム      ６０．水溜め石突
６１．水溜室            ６２．水出入り口        ６３．取付部
【図１】
2017144196.tif 000003
【図２】
2017144196.tif 000004
【図３】
2017144196.tif 000005
【図４】
2017144196.tif 000006
【図５】
2017144196.tif 000007
【図６】
2017144196.tif 000008
【図７】
2017144196.tif 000009